(57)【要約】    【課題】      既存の情報伝送方法を変更することなく、また新たなチャネルを追加することなく、追加の送信データの伝送を可能とする送信装置およびこれと通信を行う受信装置を提供すること。    【解決手段】  送信機１００においては、ＴＦＣ情報に対応する誤り検出ビットを生成する誤り検出符号化部３１０と、追加の送信データの内容に応じて、送信信号中での誤り検出ビットの配置を変更する送信信号変更部４１０とを備える。受信機１５０においては、受信信号における、誤り検出ビットの状態を判定し、誤り検出ビットの状態に応じた情報を出力する。送信信号における誤り検出ビットの状態を変更するだけで、追加の送信データの内容を送信信号に付加することができるので、送信信号の送信方法を既存の送信方法から変更することなく、また新たなチャネルを追加することなく送信信号の内容自体の他に追加の送信データの内容を伝送することができる。  【選択図】      図１
2006094069.tif 000002
【特許請求の範囲】
【請求項１】
第１の送信データに対応する誤り検出ビットを生成する誤り検出ビット生成手段と、
第２の送信データの内容に応じて、送信信号中での誤り検出ビットの状態を変更する送信信号変更手段と、
を具備することを特徴とする送信装置。
【請求項２】
前記送信信号変更手段は、前記誤り検出ビットの状態として、当該誤り検出ビットの前記送信信号における配置を変更することを特徴とする請求項１記載の送信装置。
【請求項３】
前記送信信号変更手段において、前記第２の送信データに応じて前記誤り検出ビットのビットを反転させるビット反転手段を具備することを特徴とする請求項１記載の送信装置。
【請求項４】
前記送信信号変更手段において、前記第２の送信データに応じて、前記誤り検出ビットのビット列を反転させるビット列反転手段を具備することを特徴とする請求項１記載の送信装置。
【請求項５】
前記第２の送信データに基づき、前記送信信号に含める前記誤り検出ビット以外の送信データの種別を切り替える手段をさらに具備することを特徴とする請求項１から請求項４のいずれかに記載の送信装置。
【請求項６】
受信信号における、誤り検出ビットの状態を判定する判定手段と、
前記誤り検出ビットの状態に応じた情報を出力する出力手段と、
を具備することを特徴とする受信装置。
【請求項７】
前記判定手段は、前記誤り検出ビットの状態として、前記受信信号における前記誤り検出ビットの配置を判定することを特徴とする請求項６記載の受信装置。
【請求項８】
前記判定手段は、前記誤り検出ビットの状態として、前記誤り検出ビットのビット列の状態を判定することを特徴とする請求項６記載の受信装置。
【請求項９】
前記出力手段の出力情報に基づき、前記受信信号に含まれる前記誤り検出ビット以外の受信データの出力先を切り替える手段をさらに具備することを特徴とする請求項６から請求項８のいずれかに記載の受信装置。
【請求項１０】
第１の送信データに対応する誤り検出ビットを生成する誤り検出ビット生成手段と、第２の送信データの内容に応じて、送信信号中での誤り検出ビットの状態を変更する送信信号変更手段と、を具備する送信装置と、
前記送信信号を受信する受信手段と、受信信号における前記誤り検出ビットの状態を判定する判定手段と、前記誤り検出ビットの状態に応じた情報を出力する出力手段と、を具備する受信装置と、
を具備することを特徴とする通信システム。
【請求項１１】
第１の送信データに対応する誤り検出ビットを生成する誤り検出ビット生成ステップと、
第２の送信データの内容に応じて、送信信号中での誤り検出ビットの状態を変更し送信信号を形成するステップと、
を具備することを特徴とする送信信号形成方法。
【発明の詳細な説明】
【技術分野】
【０００１】
本発明は、送信装置、受信装置、通信システムおよび送信信号形成方法に関する。
【背景技術】
【０００２】
従来、ＷＣＤＭＡ方式においては、可変レートの送信データとともにその伝送レートと関連した意味を持つＴＦＣ（Transport Format Combination）情報を示すＴＦＣＩ（Transport Format Combination Indicator）を伝送するといった方法が採用されている。
【０００３】
ＷＣＤＭＡ方式においては、他の通信方式と同様に誤りのない伝送を達成するために送信データに対して冗長なビットである誤り検出符号を付加しているが、さらにＴＦＣ情報についても誤り検出符号を付加して送信する技術が、非特許文献１において提案されている。
【０００４】
この技術を用いた従来の送信機について、図１６を参照して説明する。
【０００５】
図１６に示すように、従来の送信機１０においては、バッファ１１は、入力されるＴＦＣ情報に基づき、保持している送信データを出力する。誤り検出符号化部１２では、バッファ１１からの送信データに応じた誤り検出符号（ＣＲＣ）を出力する。そして、多重部１３において、バッファ１１からの送信データと誤り検出符号化部１２からの誤り検出符号とを多重して、図１７に示すような１つの送信信号を形成する。なお、送信信号において、送信データおよび誤り検出符号の各々がブロックを構成し、ブロックが連結されている。
【０００６】
また、誤り検出符号化部１４は、入力されるＴＦＣ情報に応じた誤り検出符号を多重部１５に出力し、多重部１５は入力されるＴＦＣ情報と誤り検出符号とを多重して、図１７に示すような１つの送信信号を形成する。
【０００７】
多重部１３で形成された送信信号は、データ符号化部１６で符号化され、変調部１７、拡散部１８および送信無線部１９にて所定の処理が施された後にアンテナ２０を通して送信される。
【０００８】
また、多重部１５で形成された送信信号は、ＴＦＣ符号化部２１で符号化され、多重部２２にてパイロットおよびＴＰＣビットと多重され、変調部１７、拡散部１８および送信無線部１９にて所定の処理が施された後にアンテナ２０を通して送信される。
【非特許文献１】3GPP R1-031053 LG Electronics TFC signaling for E-DCH to support macro-diversity
【発明の開示】
【発明が解決しようとする課題】
【０００９】
ところで、従来の送信機１０を用いて、送信データおよびＴＦＣ情報以外に、新たに追加の送信データを送信しようとする場合、伝送方法自体に変更を加える必要が生じる。例えば、送信データもしくはＴＦＣ情報に追加送信データを付加し、誤りに対する耐性の強い符号化方法に変更するといったことを行う必要があるという問題が生じる。
【００１０】
また、情報伝送方法がすでに標準化仕様となっていて変更できない場合には、追加送信データ用の新たなチャネルを追加しなくてはこれを伝送することができないという問題がある。これは、送信機における送信電力の消費を増加させるとともに、無線通信システムにおける新たな干渉の増加を招くこととなる。
【００１１】
また、追加送信データ用の新たなチャネルを追加することは、送信機およびこれと通信を行う受信機のハードウェアを増加させるという問題がある。
【００１２】
本発明は、かかる点に鑑みてなされたものであり、既存の情報伝送方法を変更することなく、また新たなチャネルを追加することなく、追加の送信データの伝送を可能とする送信装置、これと通信を行う受信装置、これらを備える通信システムおよび送信信号形成方法を提供することを目的とする。
【課題を解決するための手段】
【００１３】
本発明の送信装置は、第１の送信データに対応する誤り検出ビットを生成する誤り検出ビット生成手段と、第２の送信データの内容に応じて、送信信号中での誤り検出ビットの状態を変更する送信信号変更手段と、を具備する構成を採る。
【００１４】
本発明の受信装置は、受信信号における、誤り検出ビットの状態を判定する判定手段と、前記誤り検出ビットの状態に応じた情報を出力する出力手段と、を具備する構成を採る。
【発明の効果】
【００１５】
本発明によれば、既存の情報伝送方法を変更することなく、また新たなチャネルを追加することなく、追加の送信データの伝送を可能とする送信装置、これと通信を行う受信装置、これらを備える通信システムおよび送信信号形成方法を提供することができる。
【発明を実施するための最良の形態】
【００１６】
以下、本発明の実施の形態について図面を参照して詳細に説明する。なお、実施の形態において、同一の構成要素には同一の符号を付し、その説明は重複するので省略する。
【００１７】
（実施の形態１）
図１に示すように、本実施の形態１に係る送信機１００は、バッファ１１２、誤り検出符号化部１１３、多重部１１４、データ符号化部１１５、ＴＦＣ符号化部１１６、多重部１１７、変調部１１８、拡散部１１９、送信無線部１２０、誤り検出符号化部３１０および送信信号変更部４１０を備える。
【００１８】
バッファ１１２に保持されている送信データＳ１０１は、ＴＦＣ情報Ｓ１０２に対応したビット数取り出された送信データＳ１０５として、多重部１１４および誤り検出符号化部１１３に入力される。誤り検出符号化部１１３は、送信データＳ１０５の入力に応じて、誤り検出符号Ｓ１０６を多重部１１４に出力する。
【００１９】
誤り検出符号Ｓ１０６と送信データＳ１０５とは、多重部１１４において多重化され、データ符号化部１１５に入力される。
【００２０】
データ符号化部１１５では、多重部１１４の出力信号が、誤り訂正符号化、インタリーブ、レートマッチング等の処理を施され、変調部１１８に出力される。なお、レートマッチングは、ＴＦＣによるビット数の違いをリピティション（Repetition）またはパンクチャリング（Puncturing）によりＴＦＣ毎に調整する。
【００２１】
一方、ＴＦＣ情報Ｓ１０２は、送信信号変更部４１０および誤り検出符号化部３１０に入力される。誤り検出符号化部３１０は、ＴＦＣ情報Ｓ１０２の入力に応じて、誤り検出符号（ＣＲＣ）Ｓ３０１を送信信号変更部４１０に出力する。
【００２２】
この送信信号変更部４１０は、ＴＦＣ情報Ｓ１０２、誤り検出符号Ｓ３０１および追加送信データＳ４０１が入力され、ＴＦＣ符号化部入力Ｓ３０２を出力する。
【００２３】
詳細には、図２に示すように、送信信号変更部４１０は、多重順切替部４１１を備えている。この多重順切替部４１１は、誤り検出符号Ｓ３０１とＴＦＣ情報Ｓ１０２とを、追加送信データの値に応じて多重順序を変更して多重する。具体的には、例えば、図３に示すように、追加送信データＳ４０１が０である場合（図３（Ａ）参照）には、誤り検出符号Ｓ３０１が左側すなわち送信される順序を基準として後ろの方に位置し、また、ＴＦＣ情報Ｓ１０２が右側すなわち前の方に位置するように、多重される。一方、追加送信データＳ４０１が１である場合（図３（Ｂ）参照）には、誤り検出符号Ｓ３０１が右側に位置し、ＴＦＣ情報Ｓ１０２が左側に位置するように、多重される。
【００２４】
以上まとめると、入力情報としての追加送信データに応じて、送信信号に含めるＴＦＣ誤り検出ビットの状態、具体的には送信信号における誤り検出ビットの配置を変更する送信機１００を実現することができる。
【００２５】
以上の構成より、送信機１００において、送信信号変更部４１０は、追加送信データＳ４０１の値に応じて、誤り検出符号Ｓ３０１およびＴＦＣ情報Ｓ１０２の多重順を変更することにより、出力するＴＦＣ符号化部入力Ｓ３０２の信号構造自体に送信情報を付加することができる。
【００２６】
さらに言えば、ＴＦＣ符号化部入力Ｓ３０２の信号における誤り検出符号Ｓ３０１（既知の情報ブロック）の配置場所に応じた送信情報を付加することができる。つまり、ＴＦＣ符号化部入力Ｓ３０２の信号において、誤り検出符号Ｓ３０１がどの位置に配置されるかに基づき、異なる情報を送信することができる。
【００２７】
送信信号変更部４１０から出力されるＴＦＣ符号化部入力Ｓ３０２は、ＴＦＣ符号化部１１６において符号化され、多重部１１７において、パイロットＳ１０３および送信電力制御のためのＴＰＣビットＳ１０４と多重され、変調部１１８に出力される。
【００２８】
データ符号化部１１５および多重部１１７の出力信号は、変調部１１８で変調され、拡散部１１９で拡散され、送信無線部１２０でＲＦ信号に変換され、アンテナ１２１を通して伝送される。
【００２９】
図４に示すように、本実施の形態１に係る受信機１５０は、アンテナ１５１、受信無線部１５２、逆拡散部１５３、復調部１５４、分離部１５５、ＴＦＣ復号化部１５６、データ復号化部１５７、分離部１５８、誤り検出復号化部１５９、選択部１６０、伝送路推定部１８２、誤り検出復号化部３５２および状態判定制御部４６０を備える。
【００３０】
アンテナ１５１で受信された信号は、受信無線部１５２でベースバンド信号に変換され、逆拡散部１５３で逆拡散され、復調部１５４で復調され、データ復号化部１５７および分離部１５５に出力される。
【００３１】
分離部１５５においては、入力信号が、符号化されたＴＦＣ、受信ＴＰＣビットＳ１８１およびパイロットに分離される。
【００３２】
伝送路推定部１８２は、分離部１５５にて分離されたパイロットに基づき、伝送路推定値を求め、復調部１５４に出力する。
【００３３】
ＴＦＣ復号化部１５６は、分離部１５５にて分離された、符号化されたＴＦＣを復号し、ＴＦＣ復号化部出力Ｓ４５１として、状態判定制御部４６０に出力する。
【００３４】
状態判定制御部４６０は、ＴＦＣ復号化部出力Ｓ４５１が入力され、ＴＦＣ復号化部出力Ｓ４５１におけるＴＦＣ誤り検出ビットが配置されている候補位置から、ＴＦＣ誤り検出ビット候補Ｓ３８１を抜き出して、誤り検出復号化部３５２に出力する。
【００３５】
誤り検出復号化部３５２は、ＴＦＣ誤り検出ビット候補Ｓ３８１に基づき誤り検出を行い、ＴＦＣ誤り検出結果Ｓ３８２を状態判定制御部４６０に出力する。
【００３６】
ＴＦＣ誤り検出結果Ｓ３８２が誤りのあることを示す場合には、状態判定制御部４６０は、ＴＦＣ復号化部出力Ｓ４５１における相対関係を切替えて（ＴＦＣ復号化部出力Ｓ４５１における上記候補位置を変更し、）ＴＦＣ誤り検出ビット候補Ｓ３８１を再度出力し、再度誤り検出が行われる。
【００３７】
そして、状態判定制御部４６０は、ＴＦＣ誤り検出結果Ｓ３８２が誤りなしを示す場合に、受信ＴＦＣ情報Ｓ１８３および追加受信データＳ４５２を出力する。なお、事前に決めた全ての相対関係において（事前に決められたすべての上記候補位置において）、誤り検出結果Ｓ３８２が誤りありであることを示す場合には、状態判定制御部４６０は、受信ＴＦＣ情報Ｓ１８３がＴＦＣなしを示すものと判断し、データ復号化部１５７において復号は成されず、追加受信データＳ４５２は出力されない。
【００３８】
詳細には、図５に示すように、状態判定制御部４６０は、メモリ４６１と、分離部４６２と、カウンタ４６３とを備える。
【００３９】
ＴＦＣ復号化部出力Ｓ４５１は、メモリ４６１に書き込まれる。そして、メモリ４６１は、書き込まれた情報を分離部４６２に出力する。
【００４０】
分離部４６２は、入力された情報における、カウンタ４６３が指示する値に対応した上記候補位置からＴＦＣ誤り検出ビット候補Ｓ３８１を抽出し、誤り検出復号化部３５２に出力する。なお、このカウンタ４６３は、上記候補位置の数を１周期としてカウントする。
【００４１】
そして、誤り検出復号化部３５２にて、ＴＦＣ誤り検出ビット候補Ｓ３８１の復号が行われ、ＴＦＣ誤り検出結果Ｓ３８２が状態判定制御部４６０に入力される。
【００４２】
ＴＦＣ誤り検出結果Ｓ３８２が誤りなしを示す場合には、カウンタ４６３は、カウンタをインクリメントせずに追加受信データＳ４５２を出力するとともに、分離部４６２は受信ＴＦＣ情報Ｓ１８３をデータ復号化部１５７に出力する。
【００４３】
一方、ＴＦＣ誤り検出結果Ｓ３８２が誤りありを示す場合には、カウンタ４６３はカウンタをインクリメントして分離部４６２にカウンタ値を入力し、メモリ４６１は記憶している情報を再び分離部４６２に出力する。そして、カウンタ４６３の値が１周するのを限度として、ＴＦＣ誤り検出結果Ｓ３８２が誤りなしとなるまで、以上の処理を繰り返す。
【００４４】
データ復号化部１５７は、状態判定制御部４６０からの受信ＴＦＣ情報Ｓ１８３に基づき、復調部１５４からの出力信号を復号する。この復号結果は、分離部１５８にて受信データと誤り検出符号とに分離され、受信データは選択部１６０に出力され、誤り検出符号は誤り検出復号化部１５９に出力される。
【００４５】
誤り検出復号化部１５９においては、入力される誤り検出符号に基づき、データ誤り検出が行われ、データ誤り検出結果Ｓ１８４が出力される。データ誤り検出結果Ｓ１８４がデータ誤りが検出されなかったことを示す場合は、選択部１６０から受信データＳ１８５が出力される。データ誤りが検出されたことを示す場合は、選択部１６０は受信データを廃棄する。
【００４６】
以上の構成により、受信機１５０において、状態判定制御部４６０が、入力信号であるＴＦＣ復号化部出力Ｓ４５１における、ＴＦＣ誤り検出ビットが配置されている候補位置から、ＴＦＣ誤り検出ビット候補Ｓ３８１を抜き出して、誤り検出復号化部３５２に出力する。誤り検出復号化部３５２では、ＴＦＣ誤り検出ビット候補Ｓ３８１がＴＦＣ誤り検出ビットから誤りがあるか否かを検出し、検出結果を出力する。この検出結果が、ＴＦＣ誤り検出ビット候補Ｓ３８１がＴＦＣ誤り検出ビットであることを示す場合（すなわち誤りが検出されなかった場合）には、状態判定制御部４６０は、候補位置に応じた情報を出力する。この検出結果が、ＴＦＣ誤り検出ビット候補Ｓ３８１がＴＦＣ誤り検出ビットでないことを示す場合（すなわち誤りが検出された場合）には、状態判定制御部４６０は、ＴＦＣ復号化部出力Ｓ４５１における上記候補位置を変更し、ＴＦＣ誤り検出ビット候補Ｓ３８１を再度出力し、再度誤り検出が行われる。
【００４７】
すなわち、受信機１５０においては、誤り検出復号化部３５２にて予め既知の情報ブロックとしての誤り検出ビットを記憶し、状態判定制御部４６０にて誤り検出ビットを含む入力信号におけるその誤り検出ビットが配置されている候補位置から誤り検出ビット候補を抜き出し、誤り検出復号化部３５２にてこの誤り検出ビット候補が記憶している誤り検出ビットであるか否かを検出し、この検出結果が誤り検出ビットであることを示しているときには誤り検出ビット候補を抜き出した候補位置に応じた情報を出力する。すなわち、受信機１５０においては、受信信号における、誤り検出ビットの状態を判定し、誤り検出ビットの状態に応じた情報を出力する。
【００４８】
こうすることで、状態判定制御部４６０への入力信号自体が意味する情報以外に、この入力信号における誤り検出ビットが配置される位置に応じた情報を取り出すことができる。
【００４９】
なお、上記実施の形態では、多重順を変更することとしたが、ＴＦＣ情報および誤り検出符号のそれぞれが１つのブロックを形成して多重されている必要はないため、ＴＦＣ情報を分割したその間に誤り検出符号を多重するなどしても同様に実施できる。また、ＴＦＣ情報と誤り検出符号との多重順に追加送信データをのせるとしたが、本発明はこれに限らず送信データと誤り検出符号とでもよく、もっと一般的に言えば、何らかの情報とこれに対応する誤り検出符号でありさえすればどのような情報であっても同様に実施できることは言うまでもない。
【００５０】
このように本実施の形態によれば、第１の送信データ（例えば、ＴＦＣ情報）に対応する誤り検出ビットを生成する誤り検出ビット生成手段としての誤り検出符号化部３１０と、第２の送信データ（本実施の形態においては、追加の送信データ）の内容に応じて、送信信号中での誤り検出ビットの状態を変更する送信信号変更部４１０とを備える送信機を実現することができる。
【００５１】
また、本実施の形態によれば、受信信号における、ＴＦＣ誤り検出ビットの状態、具体的には受信信号における誤り検出ビットの配置に応じた情報すなわち上記送信機における追加送信データを出力することができる受信機を実現することができる。
【００５２】
かくしてこれら送信機および受信機から構成される通信システムでは、送信機で追加送信データに応じて誤り検出ビットの送信信号における配置を変更し、受信機では誤り検出ビットの受信信号における配置を検出すれば追加送信データを取り出すことができるので、既存の送信方法を変更することなく、さらに新たなチャネルを追加することなく、追加送信データを送信することができる。そして、送信機における送信電力の消費の増加を防止できるとともに、通信システムにおける新たな干渉の増加を防止することができる。
【００５３】
（実施の形態２）
実施の形態２に係る送信機は、図１に示す送信機１００と同様の全体構成を有する。また、実施の形態２に係る受信機は、図４に示す受信機１５０と同様の全体構成を有する。ただし、送信機１００の送信信号変更部４１０においては、追加送信データの値に応じて多重順序を変更して多重を行っているが、本実施の形態に係る送信機の送信信号変更部は、追加送信データの値に応じて誤り検出符号の符号（正／負もしくは1／0）の変更を行うものである。これに伴い、本実施の形態に係る受信機の状態判定制御部の機能も、受信機１５０の状態判定制御部４６０とは異なっている。
【００５４】
図６に示すように、この送信信号変更部４２０は、符号反転部４２１と、多重部４２２とを備える。
【００５５】
送信信号変更部４２０は、入力される追加送信データの値に対応して、符号反転部４２１にて誤り検出符号（ＣＲＣ）Ｓ３０１の符号（正／負もしくは１／０）を反転するか否かを切替えて、出力するＴＦＣ符号化部入力Ｓ３０２を変更する。具体的には、例えば、図７に示すように、追加送信データＳ４０１が０である場合には、符号反転部４２１は、誤り検出符号（ＣＲＣ）Ｓ３０１にビット反転を施さず、一方、追加送信データＳ４０１が１である場合には、誤り検出符号（ＣＲＣ）Ｓ３０１にビット反転を施す。こうすることで、符号反転部４２１は、追加送信データＳ４０１の値に応じて、異なる状態の誤り検出符号（ＣＲＣ）Ｓ３０１を出力することができる。
【００５６】
多重部４２２は、追加送信データの値に応じて異なる状態の誤り検出符号（ＣＲＣ）Ｓ３０１とＴＦＣ情報Ｓ１０２とを多重して、ＴＦＣ符号化部入力Ｓ３０２として出力する。
【００５７】
以上の構成によれば、本実施の形態の送信機において、送信信号変更部４２０は、追加送信データの値に応じて、誤り検出符号Ｓ３０１にビット反転を施すか否かを切り換えることにより、出力するＴＦＣ符号化部入力Ｓ３０２の信号構造自体に送信情報を付加することができる。
【００５８】
さらに言えば、ＴＦＣ符号化部入力Ｓ３０２の信号に含めた誤り検出符号Ｓ３０１の状態に応じた送信情報を付加することができる。つまり、誤り検出符号Ｓ３０１がどのような状態をとっているかに基づき、異なる情報を送信することができる。
【００５９】
図８に示すように、本実施の形態に係る受信機の状態判定制御部４７０は、メモリ４６１と、分離部４７１と、カウンタ４６３と、符号反転部４７２とを備える。
【００６０】
状態判定制御部４７０は、ＴＦＣ復号化部出力Ｓ４５１、ＴＦＣ誤り検出結果Ｓ３８２が入力され、受信ＴＦＣ情報Ｓ１８３、ＴＦＣ誤り検出ビット候補Ｓ３８１、追加受信データＳ４５２を出力する。
【００６１】
詳細には、ＴＦＣ復号化部出力Ｓ４５１はメモリ４６１に書き込まれる。そして、メモリ４６１は書き込まれた情報を分離部４７１に出力する。
【００６２】
分離部４７１は、入力された信号の所定の位置に含められたＴＦＣ誤り検出ビットを符号反転部４７２に出力する。そして、符号反転部４７２は、カウンタ４６３の値に応じて、入力されたＴＦＣ誤り検出ビットの所定ビットを必要であれば反転して、ＴＦＣ誤り検出ビット候補Ｓ３８１を誤り検出復号化部３５２に出力する。なお、このカウンタ４６３は、上記ＴＦＣ誤り検出ビット候補Ｓ３８１の取りうる、予め定められている状態の数を１周期としてカウントする。
【００６３】
そして、誤り検出復号化部３５２にて、ＴＦＣ誤り検出ビット候補Ｓ３８１の復号が行われ、ＴＦＣ誤り検出結果Ｓ３８２が状態判定制御部４７０に入力される。
【００６４】
ＴＦＣ誤り検出結果Ｓ３８２が誤りなしを示す場合には、カウンタ４６３は、カウンタをインクリメントせずに追加受信データＳ４５２を出力するとともに、分離部４７１は受信ＴＦＣ情報Ｓ１８３をデータ復号化部１５７に出力する。
【００６５】
一方、ＴＦＣ誤り検出結果Ｓ３８２が誤りありを示す場合には、カウンタ４６３はカウンタをインクリメントして分離部４７１にカウンタ値を入力し、メモリ４６１は記憶している情報を再び分離部４７１に出力する。そして、カウンタ４６３の値が１周するのを限度として、ＴＦＣ誤り検出結果Ｓ３８２が誤りなしとなるまで、以上の処理を繰り返す。
【００６６】
以上の構成により、本実施の形態の受信機において、状態判定制御部４７０は、入力信号であるＴＦＣ復号化部出力Ｓ４５１における所定位置から、ＴＦＣ誤り検出ビットを抜き出して、ＴＦＣ誤り検出ビットの所定ビットにビット反転を施して、又はビット反転を施すことなく、ＴＦＣ誤り検出ビット候補Ｓ３８１を誤り検出復号化部３５２に出力する。誤り検出復号化部３５２では、ＴＦＣ誤り検出ビット候補Ｓ３８１がＴＦＣ誤り検出ビットであるか否かを検出し、検出結果を出力する。この検出結果が、ＴＦＣ誤り検出ビット候補Ｓ３８１がＴＦＣ誤り検出ビットであることを示す場合には、状態判定制御部４７０は、符号反転部４７２におけるビット反転の施し方に応じた情報を出力する。この検出結果が、ＴＦＣ誤り検出ビット候補Ｓ３８１がＴＦＣ誤り検出ビットでないことを示す場合には、状態判定制御部４７０は、符号反転部４７２における符号の反転のさせ方を変更して、再度誤り検出が行われる。
【００６７】
すなわち、本実施の形態の受信機においては、誤り検出復号化部３５２にて予め既知の情報ブロックとしての誤り検出ビットの状態を記憶し、状態判定制御部４７０にて入力信号の誤り検出ビットの配置されている部分を抜き出しビット反転を施して誤り検出ビット候補を形成し、誤り検出復号化部３５２にてこの誤り検出ビット候補が記憶している誤り検出ビットであるか否かを検出し、この検出結果が誤り検出ビットであることを示しているときには施したビット反転に応じた情報を出力する。
【００６８】
こうすることで、状態判定制御部４７０への入力信号自体が意味する情報以外に、この入力信号における誤り検出ビットの状態に応じた情報を取り出すことができる。
【００６９】
なお、上記実施の形態では誤り検出符号を反転（正／負もしくは１／０）させるか否か切替えるとしたが、反転させるのは誤り検出符号でなくＴＦＣ情報であってもよい。また、これらを組合せて、誤り検出符号およびＴＦＣ情報の両方をそれぞれ反転させるようにすれば組合せが増えるため伝送できる追加送信データを増やすことができる。また、誤り検出符号もしくはＴＦＣ情報を部分的に反転させるようにすれば組合せが増えるため伝送できる追加送信データを増やすことができる。さらには、データ全体のうちの所定の部分を反転するなどしてもよい。また、本実施の形態ではＴＦＣ情報と誤り検出符号としたが、これに限らず送信データと誤り検出符号でもよく、もっと一般的に言えば、何らかの情報とこれに対応する誤り検出符号でありさえすればどのような情報であっても同様に実施できることは言うまでもない。
【００７０】
このように本実施の形態によれば、入力情報としての追加送信データに応じて、送信信号に含めるＴＦＣ誤り検出ビットの状態を変更する、具体的には送信信号における誤り検出ビットのビットを反転させる送信機を実現することができる。
【００７１】
また、本実施の形態によれば、受信信号における、ＴＦＣ誤り検出ビットの状態、具体的には受信信号における誤り検出ビットのビット列の状態に応じた情報すなわち上記送信機における追加送信データを出力することができる受信機を実現することができる。
【００７２】
かくしてこれら送信機および受信機から構成される通信システムでは、送信機で追加送信データに応じて誤り検出ビットのビットを反転して変更し、受信機では受信信号における誤り検出ビットのビット列の状態を検出すれば追加送信データを取り出すことができるので、既存の送信方法を変更することなく、さらに新たなチャネルを追加することなく、追加送信データを送信することができる。そして、送信機における送信電力の消費の増加を防止できるとともに、通信システムにおける新たな干渉の増加を防止することができる。
【００７３】
（実施の形態３）
実施の形態３に係る送信機は、図１に示す送信機１００と同様の全体構成を有する。また、実施の形態３に係る受信機は、図４に示す受信機１５０と同様の全体構成を有する。ただし、送信機１００の送信信号変更部４１０においては、追加送信データの値に応じて多重順序を変更して多重を行っているが、本実施の形態に係る送信機の送信信号変更部は、追加送信データの値に応じて誤り検出符号のビット順の変更を行うものである。これに伴い、本実施の形態に係る受信機の状態判定制御部の機能も、受信機１５０の状態判定制御部４６０とは異なっている。
【００７４】
図９に示すように、送信信号変更部４３０は、ビット順反転部４３１と、多重部４２２とを備える。
【００７５】
送信信号変更部４３０は、追加送信データの値に対応して、誤り検出符号（ＣＲＣ）Ｓ３０１のビット順（ＭＳＢおよびＬＳＢの位置）を反転するか否かを切替えて、出力するＴＦＣ符号化部入力３０２を変更する。具体的には、例えば、図１０に示すように、追加送信データＳ４０１が０である場合（図１０（Ａ）参照）には、ビット順反転部４３１は、誤り検出符号（ＣＲＣ）Ｓ３０１にビット順の反転を施さず、一方、追加送信データＳ４０１が１である場合（図１０（Ｂ）参照）には、誤り検出符号（ＣＲＣ）Ｓ３０１にビット順の反転を施す。こうすることで、ビット順反転部４３１は、追加送信データ４０１の値に応じて、異なる状態の誤り検出符号（ＣＲＣ）Ｓ３０１を出力することができる。
【００７６】
多重部４２２は、追加送信データの値に応じて異なる状態の誤り検出符号（ＣＲＣ）Ｓ３０１とＴＦＣ情報とを多重して、ＴＦＣ符号化部入力Ｓ３０２として出力する。
【００７７】
以上の構成によれば、本実施の形態の送信機において、送信信号変更部４３０は、追加送信データの値に応じて、誤り検出符号Ｓ３０１のビット列の反転を施すか否かを切り換えることにより、出力するＴＦＣ符号化部入力Ｓ３０２の信号構造自体に送信情報を付加することができる。
【００７８】
さらに言えば、ＴＦＣ符号化部入力Ｓ３０２の信号に含めた誤り検出符号Ｓ３０１の状態に応じた送信情報を付加することができる。つまり、誤り検出符号Ｓ３０１がどのような状態をとっているかに基づき、異なる情報を送信することができる。
【００７９】
図１１に示すように、本実施の形態に係る受信機の状態判定制御部４８０は、メモリ４６１と、分離部４７１と、カウンタ４６３と、ビット順反転部４８１とを備える。
【００８０】
状態判定制御部４８０は、ＴＦＣ復号化部出力Ｓ４５１、ＴＦＣ誤り検出結果Ｓ３８２が入力され、受信ＴＦＣ情報Ｓ１８３、ＴＦＣ誤り検出ビット候補Ｓ３８１、追加受信データＳ４５２を出力する。
【００８１】
詳細には、ＴＦＣ復号化部出力Ｓ４５１はメモリ４６１に書き込まれる。そして、メモリ４６１は、書き込まれた情報を分離部４７１に出力する。
【００８２】
分離部４７１は、入力された信号の所定の位置に含められたＴＦＣ誤り検出ビットをビット順反転部４８１に出力する。そして、ビット順反転部４８１は、カウンタ４６３の値に応じて、入力されたＴＦＣ誤り検出ビットのビット順を反転して、ＴＦＣ誤り検出ビット候補Ｓ３８１を誤り検出復号化部３５２に出力する。なお、このカウンタ４６３は、上記ＴＦＣ誤り検出ビット候補Ｓ３８１の取りうる、予め定められている状態の数を１周期としてカウントする。
【００８３】
そして、誤り検出復号化部３５２にて、ＴＦＣ誤り検出ビット候補Ｓ３８１の復号が行われ、ＴＦＣ誤り検出結果Ｓ３８２が状態判定制御部４８０に入力される。
【００８４】
ＴＦＣ誤り検出結果Ｓ３８２が誤りなしを示す場合には、カウンタ４６３は、カウンタをインクリメントせずに追加受信データＳ４５２を出力するとともに、分離部４７１は受信ＴＦＣ情報Ｓ１８３をデータ復号化部１５７に出力する。
【００８５】
一方、ＴＦＣ誤り検出結果Ｓ３８２が誤りありを示す場合には、カウンタ４６３はカウンタをインクリメントして分離部４７１にカウンタ値を入力し、メモリ４６１は記憶している情報を再び分離部４７１に出力する。そして、カウンタ４６３の値が１周するのを限度として、ＴＦＣ誤り検出結果Ｓ３８２が誤りなしとなるまで、以上の処理を繰り返す。
【００８６】
以上の構成によれば、本実施の形態に係る受信機において、状態判定制御部４８０は、入力信号であるＴＦＣ復号化部出力Ｓ４５１における所定位置から、ＴＦＣ誤り検出ビットを抜き出して、ＴＦＣ誤り検出ビットのビット列に反転を施して、又は反転を施すことなく、ＴＦＣ誤り検出ビット候補Ｓ３８１を誤り検出復号化部３５２に出力する。誤り検出復号化部３５２では、ＴＦＣ誤り検出ビット候補Ｓ３８１がＴＦＣ誤り検出ビットであるか否かを検出し、検出結果を出力する。この検出結果が、ＴＦＣ誤り検出ビット候補Ｓ３８１がＴＦＣ誤り検出ビットであることを示す場合には、状態判定制御部４８０は、符号反転部４７２における反転の施し方に応じた情報を出力する。この検出結果が、ＴＦＣ誤り検出ビット候補Ｓ３８１がＴＦＣ誤り検出ビットでないことを示す場合には、状態判定制御部４８０は、符号反転部４７２における反転のさせ方を変更して、再度誤り検出が行われる。
【００８７】
すなわち、本実施の形態の受信機においては、誤り検出復号化部３５２にて予め既知の情報ブロックとしての誤り検出ビットの状態を記憶し、状態判定制御部４８０にて入力信号の誤り検出ビットの配置されている部分を抜き出しビット列の反転を施して誤り検出ビット候補を形成し、誤り検出復号化部３５２にてこの誤り検出ビット候補が記憶している誤り検出ビットであるか否かを検出し、この検出結果が誤り検出ビットであることを示しているときには施した反転に応じた情報を出力する。
【００８８】
こうすることで、状態判定制御部４８０への入力信号自体が意味する情報以外に、この入力信号における誤り検出ビットの状態に応じた情報を取り出すことができる。
【００８９】
このように本実施の形態によれば、入力情報としての追加送信データに応じて、送信信号に含めるＴＦＣ誤り検出ビットの状態を変更する、具体的には送信信号における誤り検出ビットのビット列を反転させる送信機を実現することができる。
【００９０】
なお、上記実施の形態では誤り検出符号のビット列を反転させるか否か切替えるとしたが、反転させるのは誤り検出符号でなくＴＦＣ情報であってもよい。また、これらを組合せて、誤り検出符号およびＴＦＣ情報の両方をそれぞれ反転させるようにすれば組合せが増えるため伝送できる追加送信データを増やすことができる。また、本実施の形態ではＴＦＣ情報と誤り検出符号としたが、これに限らず送信データと誤り検出符号でもよく、もっと一般的に言えば、何らかの情報とこれに対応する誤り検出符号でありさえすればどのような情報であっても同様に実施できることは言うまでもない。
【００９１】
また、本実施の形態によれば、受信信号における、ＴＦＣ誤り検出ビットの状態、具体的には受信信号における誤り検出ビットのビット列の状態に応じた情報すなわち上記送信機における追加送信データを出力することができる受信機を実現することができる。
【００９２】
かくしてこれら送信機および受信機から構成される通信システムでは、送信機で追加送信データに応じて誤り検出ビットのビット列を反転して変更し、受信機では受信信号における誤り検出ビットのビット列の状態を検出すれば追加送信データを取り出すことができるので、既存の送信方法を変更することなく、さらに新たなチャネルを追加することなく、追加送信データを送信することができる。そして、送信機における送信電力の消費の増加を防止できるとともに、通信システムにおける新たな干渉の増加を防止することができる。
【００９３】
（実施の形態４）
本実施の形態は、実施の形態１乃至３における追加送信データの利用例を説明するものであり、特に追加送信データを「情報種別」とし、この「情報種別」に応じて、ＴＦＣ情報を伝送するか、Ｓｃｈｅｄｕｌｉｎｇ要求を伝送するかを切替える場合を説明する。ここで、Ｓｃｈｅｄｕｌｉｎｇ要求とは、上り回線パケット伝送において基地局がＳｃｈｅｄｕｌｉｎｇを行うために通信端末が送信するものであり、通信端末の送信電力情報（現在の残り送信電力がどのくらいかもしくはどのレートまで送信電力が足りるかの情報）や、データ量情報（通信端末の送信バッファに保持されているデータ量もしくは必要なレート）などのことである。なお、本実施の形態の送信機は、上記基地局に相当し、本実施の形態の受信機は、上記通信端末に相当する。
【００９４】
図１２に示すように、本実施の形態の送信機５００は、切替部５１０を有する。この切替部５１０には、ＴＦＣ情報Ｓ１０２、Ｓｃｈｅｄｕｌｉｎｇ要求Ｓ５０２、情報種別Ｓ５０１が入力される。切替部５１０は、情報種別５０１がＴＦＣ情報を示すものであれば、ＴＦＣ情報をバッファ１１２、誤り検出符号化部３１０および送信信号変更部４１０に出力する。
【００９５】
一方、情報種別Ｓ５０１がＳｃｈｅｄｕｌｉｎｇ要求を示すものであれば、切替部５１０は、Ｓｃｈｅｄｕｌｉｎｇ要求を誤り検出符号化部３１０および送信信号変更部４１０に出力し、バッファ１１２には出力しない。こうすることで、この場合には、バッファ１１２から送信データは出力されない。
【００９６】
図１３に示すように、本実施の形態の受信機５５０は、切替部５６０を有する。この切替部５６０は、受信情報種別Ｓ５５１と受信ＴＦＣ情報Ｓ１８３又は受信Ｓｃｈｅｄｕｌｉｎｇ要求Ｓ５５２とを状態判定制御部４６０から受け取る。そして、受信情報種別Ｓ５５１の内容に応じて、受信ＴＦＣ情報Ｓ１８３および受信Ｓｃｈｅｄｕｌｉｎｇ要求Ｓ５５２の出力先を切り替える。具体的には、受信情報種別Ｓ５５１が受信ＴＦＣ情報Ｓ１８３を示すときには、受信ＴＦＣ情報Ｓ１８３をデータ復号化部１５７に出力する。
【００９７】
なお、上記実施の形態では、特に送信機５００に対して送信信号変更部４１０を適用、かつ、受信機５５０に対して状態判定制御部４６０を適用した場合について説明をしたが、本発明はこれに限定されるものではなく、送信信号変更部４２０と状態判定制御部４７０との組み合わせ、又は送信信号変更部４３０と状態判定制御部４８０との組み合わせを適用しても同様の効果がえられる。
【００９８】
このように本実施の形態によれば、入力情報としての情報種別に応じて、送信信号に含める送信データをＴＦＣ情報又はＳｃｈｅｄｕｌｉｎｇ要求に切り替えるとともに、送信信号に含めるＴＦＣ誤り検出ビットの状態を変更する送信機を実現することができる。
【００９９】
また、本実施の形態によれば、受信信号における、誤り検出ビットの状態を検出し、検出した誤り検出ビットの状態に基づいて受信信号に含められている送信データの種別を特定することができる受信機を実現することができる。さらに、送信データの種別に応じて、送信データの出力先を切り替える切替部を設けることにより、利用先が異なる複数の送信データを含む受信信号を受信することができる受信機を実現することができる。
【０１００】
かくして本実施の形態によれば、既存の送信方法を変更することなく、さらに新たなチャネルを追加することなく、複数種別の送信データを送信することができる通信システムを実現できる。
【０１０１】
（実施の形態５）
本実施の形態は、実施の形態４におけるＳｃｈｅｄｕｌｉｎｇ要求を別の拡散コードで伝送し、「情報種別」に応じてデータ量情報と送信電力情報とを切替えて伝送するようにするものである。
【０１０２】
図１４に示すように、本実施の形態に係る送信機６００は、Ｓｃｈｅｄｕｌｉｎｇ要求送信部６１０を備える。このＳｃｈｅｄｕｌｉｎｇ要求送信部６１０は、切替部５１０と、Ｓｃｈｅｄｕｌｉｎｇ要求符号化部６１１とを有する。
【０１０３】
切替部５１０には、データ量情報Ｓ６０３、送信電力情報Ｓ６０２、情報種別Ｓ６０１が入力される。切替部５１０は、情報種別Ｓ６０１に応じて、データ量情報Ｓ６０３、送信電力情報Ｓ６０２のどちらかを誤り検出符号化部３１０および送信信号変更部４１０に出力する。
【０１０４】
送信信号変更部４１０には、誤り検出符号化部３１０にて出力される誤り検出符号と、切替部５１０から出力されたデータ量情報Ｓ６０３又は送信電力情報Ｓ６０２とが入力される。
【０１０５】
送信信号変更部４１０は、入力される情報種別に応じて、誤り検出符号Ｓ３０１の配置場所を変更して、出力信号を形成する。そして、この出力信号は、Ｓｃｈｅｄｕｌｉｎｇ要求符号化部６１１で符号化され、変調部１１８−２で変調され、拡散部１１９−２で拡散され送信無線部１２０に入力される。
【０１０６】
図１５に示すように、本実施の形態の受信機６５０は、Ｓｃｈｅｄｕｌｉｎｇ要求受信部６６０を備える。
【０１０７】
受信無線部１５２より得られる受信信号は、逆拡散部１５３−２で逆拡散され、復調部１５４−２で復調され、Ｓｃｈｅｄｕｌｉｎｇ要求復号部６６１で復号され、Ｓｃｈｄｕｌｉｎｇ要求復号結果Ｓ４５１が状態判定制御部４６０に入力される。
【０１０８】
状態判定制御部４６０は、ＴＦＣ誤り検出ビットのＳｃｈｄｕｌｉｎｇ要求復号結果Ｓ４５１における配置を判定し、この配置に応じた受信情報種別Ｓ６５３と、受信データ量情報Ｓ６５５又は受信送信電力情報Ｓ６５４とを切替部５６０に出力する。
【０１０９】
切替部５６０は、受信情報種別Ｓ６５３と、受信データ量情報Ｓ６５５又は受信送信電力情報Ｓ６５４とを状態判定制御部４６０から受け取る。そして、受信情報種別Ｓ６５３の内容に応じて、受信データ量情報Ｓ６５５および受信送信電力情報Ｓ６５４の出力先を切り替える。
【０１１０】
なお、上記実施の形態では、特に送信機６００に対して送信信号変更部４１０を適用、かつ、受信機６５０に対して状態判定制御部４６０を適用した場合について説明をしたが、本発明はこれに限定されるものではなく、送信信号変更部４２０と状態判定制御部４７０との組み合わせ、又は送信信号変更部４３０と状態判定制御部４８０との組み合わせを適用しても同様の効果がえられる。
【０１１１】
このように本実施の形態によれば、入力情報としての情報種別に応じて、送信信号に含める送信データをデータ量情報又は送信電力情報に切り替えるとともに、送信信号に含めるＴＦＣ誤り検出ビットの状態を変更する送信機を実現することができる。
【０１１２】
また、本実施の形態によれば、受信信号における、ＴＦＣ誤り検出ビットの状態を検出し、検出した誤り検出ビットの状態に基づいて受信信号に含められている送信データの種別を特定することができる受信機を実現することができる。さらに、送信データの種別に応じて、送信データの出力先を切り替える切替部を設けることにより、利用先が異なる複数の送信データを含む受信信号を受信することができる受信機を実現することができる。
【０１１３】
かくして本実施の形態によれば、既存の送信方法を変更することなく、さらに新たなチャネルを追加することなく、複数種別の送信データを送信することができる通信システムを実現できる。
【０１１４】
（他の実施の形態）
実施の形態１乃至３において、誤り検出ビットの状態の変更方法として、送信信号における配置を変更する方法、誤り検出ビットのビットを反転する方法、および誤り検出ビットのビット列を反転させる方法について各々説明したが、これらを組み合わせるにより、さらに誤り検出ビットの取りうる状態数が増えるので、伝送できる追加送信データの量を増やすことができる。
【０１１５】
本発明の送信装置の第１の態様は、第１の送信データに対応する誤り検出ビットを生成する誤り検出ビット生成手段と、第２の送信データの内容に応じて、送信信号中での誤り検出ビットの状態を変更する送信信号変更手段と、を具備する構成を採る。
【０１１６】
この構成によれば、第２の送信データの内容に応じて送信信号における誤り検出ビットの状態を変更するだけで、送信信号自体が意味する内容以外に第２の送信データの内容についても送信信号に付加することができるので、送信信号の送信方法を既存の送信方法から変更することなく、また新たなチャネルを追加することなく、送信信号を送信するだけで、送信信号の内容自体の他に第２の送信データの内容を送信することができる。さらに、第１の送信データと第２の送信データとを同じ送信データとすれば、より確実に送信データの内容を受信側に伝えることができる。
【０１１７】
本発明の送信装置の第２の態様は、前記送信信号変更手段が、前記誤り検出ビットの状態として、当該誤り検出ビットの前記送信信号における配置を変更する構成を採る。
【０１１８】
この構成によれば、第２の送信データの内容に応じて送信信号における誤り検出ビットの配置を変更するだけで、送信信号自体が意味する内容以外に第２の送信データの内容についても送信信号に付加することができるので、送信信号の送信方法を既存の送信方法から変更することなく、また新たなチャネルを追加することなく、送信信号を送信するだけで、送信信号の内容自体の他に第２の送信データの内容を送信することができる。
【０１１９】
本発明の送信装置の第３の態様は、前記送信信号変更手段において、前記第２の送信データに応じて前記誤り検出ビットのビットを反転させるビット反転手段を具備する構成を採る。
【０１２０】
この構成によれば、第２の送信データの内容に応じて送信信号における誤り検出ビットを反転させるだけで、送信信号自体が意味する内容以外に第２の送信データの内容についても送信信号に付加することができるので、送信信号の送信方法を既存の送信方法から変更することなく、また新たなチャネルを追加することなく、送信信号を送信するだけで、送信信号の内容自体の他に第２の送信データの内容を送信することができる。
【０１２１】
本発明の送信装置の第４の態様は、前記送信信号変更手段において、前記第２の送信データに応じて、前記誤り検出ビットのビット列を反転させるビット列反転手段を具備する構成を採る。
【０１２２】
この構成によれば、第２の送信データの内容に応じて送信信号における誤り検出ビットのビット列を反転させるだけで、送信信号自体が意味する内容以外に第２の送信データの内容についても送信信号に付加することができるので、送信信号の送信方法を既存の送信方法から変更することなく、また新たなチャネルを追加することなく、送信信号を送信するだけで、送信信号の内容自体の他に第２の送信データの内容を送信することができる。
【０１２３】
本発明の送信装置の第５の態様は、前記第２の送信データに基づき、前記送信信号に含める前記誤り検出ビット以外の送信データの種別を切り替える手段をさらに具備する構成を採る。
【０１２４】
この構成によれば、送信データの種別の切り替えに関する情報を受信側に伝えるために、送信信号の送信方法を既存の送信方法から変更することなく、また新たなチャネルを追加することなく、送信信号を送信するだけで、受信側において送信信号に含められている送信データの種別を特定することができる。
【０１２５】
本発明の受信装置の第１の態様は、受信信号における、誤り検出ビットの状態を判定する判定手段と、前記誤り検出ビットの状態に応じた情報を出力する出力手段と、を具備する構成を採る。
【０１２６】
この構成によれば、受信信号における、誤り検出ビットの状態を判定し、この誤り検出ビットの状態に応じた情報を出力することができるので、受信信号自体が意味する内容以外に誤り検出ビットの状態に応じた情報も取り出すことができる。
【０１２７】
本発明の受信装置の第２の態様は、前記判定手段が、前記誤り検出ビットの状態として、前記受信信号における前記誤り検出ビットの配置を判定する構成を採る。
【０１２８】
この構成によれば、受信信号における誤り検出ビットの配置を判定し、この誤り検出ビットの配置に応じた情報を出力することができるので、受信信号自体が意味する内容以外に誤り検出ビットの配置に応じた情報も取り出すことができる。
【０１２９】
本発明の受信装置の第３の態様は、前記判定手段が、前記誤り検出ビットの状態として、前記誤り検出ビットのビット列の状態を判定する構成を採る。
【０１３０】
この構成によれば、受信信号における誤り検出ビットのビット列の状態を判定し、この誤り検出ビットのビット列の状態に応じた情報を出力することができるので、受信信号自体が意味する内容以外に誤り検出ビットのビット列の状態に応じた情報も取り出すことができる。
【０１３１】
本発明の受信装置の第４の態様は、前記出力手段の出力情報に基づき、前記受信信号に含まれる前記誤り検出ビット以外の受信データの出力先を切り替える手段をさらに具備する構成を採る。
【０１３２】
この構成によれば、誤り検出ビットの状態に応じた出力情報に基づき、受信信号に含まれる前記誤り検出ビット以外の受信データの出力先を切り替えるので、例えば、誤り検出ビットの状態と受信信号に含まれる前記誤り検出ビット以外の受信データ種別とが対応づけられている場合に、誤り検出ビットの状態により受信データ種別が特定できこの受信データ種別に基づき出力先を切り替えることができる。こうすることで、受信データ種別により適当な出力先に出力することができる。
【０１３３】
本発明の通信システムは、第１の送信データに対応する誤り検出ビットを生成する誤り検出ビット生成手段と、第２の送信データの内容に応じて、送信信号中での誤り検出ビットの状態を変更する送信信号変更手段と、を具備する送信装置と、前記送信信号を受信する受信手段と、受信信号における前記誤り検出ビットの状態を判定する判定手段と、前記誤り検出ビットの状態に応じた情報を出力する出力手段と、を具備する受信装置と、を具備する構成を採る。
【０１３４】
この構成によれば、送信装置においては、第２の送信データの内容に応じて送信信号における誤り検出ビットの状態を変更するだけで、送信信号自体が意味する内容以外に第２の送信データの内容についても送信信号に付加することができ、受信装置においては、受信信号における、誤り検出ビットの状態を判定し、この誤り検出ビットの状態に応じた情報を出力することができるので、受信信号自体が意味する内容以外に誤り検出ビットの状態に応じた情報も送信することができる。
【０１３５】
本発明の送信信号形成方法は、第１の送信データに対応する誤り検出ビットを生成する誤り検出ビット生成ステップと、第２の送信データの内容に応じて、送信信号中での誤り検出ビットの状態を変更し送信信号を形成するステップと、を具備するようにした。
【０１３６】
この方法によれば、第２の送信データの内容に応じて送信信号における誤り検出ビットの状態を変更するだけで、送信信号自体が意味する内容以外に第２の送信データの内容についても送信信号に付加することができる
【産業上の利用可能性】
【０１３７】
本発明の送信装置、受信装置、通信システムおよび送信信号形成方法は、入力情報に応じて送信信号に含む既知情報ブロックの状態を変更して、送信信号の内容以外に入力情報の内容を送信信号に付加することにより、既存の情報伝送方法を変更することなく、また新たなチャネルを追加することなく、上記入力情報としての追加の送信データを伝送できる効果を有し、携帯電話機、携帯無線通信機、パーソナルコンピュータ、情報携帯端末（ＰＡＤ）等の通信装置、これらから構成される通信システムに有効である。
【図面の簡単な説明】
【０１３８】
【図１】実施の形態１に係る送信機の構成を示すブロック図
【図２】図１の送信信号変更部の構成を示すブロック図
【図３】図１の送信信号変更部にて形成される送信信号における誤り検出符号の状態を説明するための図
【図４】実施の形態１に係る受信機の構成を示すブロック図
【図５】図４の状態判定制御部の構成を示すブロック図
【図６】実施の形態２の送信機における送信信号変更部の構成を示すブロック図
【図７】図６の送信信号変更部にて形成される送信信号における誤り検出符号の状態を説明するための図
【図８】実施の形態２の受信機における状態判定制御部の構成を示すブロック図
【図９】実施の形態３の送信機における送信信号変更部の構成を示すブロック図
【図１０】図９の送信信号変更部にて形成される送信信号における誤り検出符号の状態を説明するための図
【図１１】実施の形態３の受信機における状態判定制御部の構成を示すブロック図
【図１２】実施の形態４に係る送信機の構成を示すブロック図
【図１３】実施の形態４に係る受信機の構成を示すブロック図
【図１４】実施の形態５に係る送信機の構成を示すブロック図
【図１５】実施の形態５に係る受信機の構成を示すブロック図
【図１６】従来の送信機の構成を示すブロック図
【図１７】図１６の多重部にて形成される送信信号の構成を示す図
【符号の説明】
【０１３９】
１００、５００、６００  送信機
１１２  バッファ
１１３、１５９、３１０  誤り検出符号化部
１１４、１１７、４２２  多重部
１１５  データ符号化部
１１６  ＴＦＣ符号化部
１１８  変調部
１１９  拡散部
１２０  送信無線部
１２１、１５１  アンテナ
１５０、５５０、６５０  受信機
１５２  受信無線部
１５３  逆拡散部
１５４  復調部
１５５、１５８、４６２、４７１  分離部
１５６  ＴＦＣ復号化部
１５７  データ復号化部
１６０  選択部
１８２  伝送路推定部
３５２  誤り検出復号化部
４１０、４２０、４３０  送信信号変更部
４１１  多重順切替部
４２１、４７２  符号反転部
４３１、４８１  ビット順反転部
４６０、４７０、４８０  状態判定制御部
４６１  メモリ
４６３  カウンタ
５１０、５６０  切替部
６１０  Ｓｃｈｅｄｕｌｉｎｇ要求送信部
６１１  Ｓｃｈｅｄｕｌｉｎｇ要求符号化部
６６０  Ｓｃｈｅｄｕｌｉｎｇ要求受信部
【図１】
2006094069.tif 000003
【図２】
2006094069.tif 000004
【図３】
2006094069.tif 000005
【図４】
2006094069.tif 000006
【図５】
2006094069.tif 000007
【図６】
2006094069.tif 000008
【図７】
2006094069.tif 000009
【図８】
2006094069.tif 000010
【図９】
2006094069.tif 000011
【図１０】
2006094069.tif 000012
【図１１】
2006094069.tif 000013
【図１２】
2006094069.tif 000014
【図１３】
2006094069.tif 000015
【図１４】
2006094069.tif 000016
【図１５】
2006094069.tif 000017
【図１６】
2006094069.tif 000018
【図１７】
2006094069.tif 000019